(57)【要約】【課題】    洗濯物を干すときに都度屈んだり、座ったり、立ったりしなければならないという不都合を解決すること。【解決手段】  洗濯かごを歪曲させ、腰ベルトを洗濯かごに装着した。又底面を網目状にしたことにより、従来の洗濯かごよりも軽量化した。腰ベルトの側面に脱着式のポケットを付け、洗濯ばさみを取りに行く歩行を減らし、屈んだり、座ったりすることなく立ったままでの姿勢で、作業が可能となった。また、携帯電話やウォークマンを入れる脱着式の小物入れを付けたことにより音楽やラジオを聴きながら作業が出来る。脱着の目安はお臍より5ｃｍは下方に付け、腹への圧迫を防ぐようにする。（ただし、妊婦さんは除く）【選択図】    図１
2007082760.tif 000002
【特許請求の範囲】
【請求項１】
バックル付  腰ベルトを装着したことを特徴とする洗濯かご。    
【請求項２】
請求項１に記載の洗濯かごにおいて、腰ベルトにクッション製の腰当てを装着したことを特徴とする洗濯かご。
【請求項３】
請求項１に記載の洗濯かごにおいて、身体に装着するために、歪曲させた洗濯かご。
【請求項４】
請求項１に記載の洗濯かごにおいて、軽量化を目的として底面を網目状にしたことを特徴とする洗濯かご。
【請求項５】
請求項１に記載の洗濯かごにおいて、四隅に長いかご足をつけたことを特徴とする、洗濯かご。
【請求項６】
請求項１に記載の洗濯かごにおいて、肩に掛けられるように、取っ手を長いベルトにした洗濯かご。
【請求項７】
請求項１に記載の洗濯かごにおいて、首から掛けられるように、取り外し可能な肩掛けベルトを装着した、洗濯かご。
【請求項８】
請求項１に記載の洗濯かごにおいて、取り外し可能な、仕切り板を装着可能とした洗濯かご。
【請求項９】
請求項１に記載の洗濯かごにおいて、使用しないときに収納が出来るように、折りたたみ可能とした、洗濯かご。
【請求項１０】
請求項１に記載の洗濯かごにおいて、洗濯物に触れずに洗濯機に洗濯物を、入れられるように底を開閉式とした洗濯かご。
【請求項１１】
請求項２に記載の腰ベルトに洗濯ばさみを始めとする小物が入れられる、脱着式の小物入れを装着することを、特徴とする洗濯かご。
【発明の詳細な説明】
【技術分野】
【０００１】
本発明は、洗濯かごに関するものであり、洗濯かごの形状に工夫を加え、腰ベルトを装着することによって、洗濯かごを身体に密着させることを可能にした洗濯かごである。
【背景技術】
【０００２】
従来は洗濯かごを、地面においたまま何度も屈んで、都度、洗濯物を取り上げ干していた。また、かご底が平面のプラスチック又はアルミ製であり、洗濯かごそのものに重さがあり、濡れた洗濯物を入れると、かなりの重みがついてしまう。
洗濯かごの取っ手がプラスチック製又はアルミ製で、短く洗濯かごを肩や首に掛けて運ぶことが出来ない。
洗濯かごの足の長さが１cm程しかないため、ぬかるんだ地面に置くと、かご底に土が付いて、汚れてしまう。
従来、洗濯かごは折りたためないため、使用しない場合でも場所を取ってしまう。
又、洗濯かごは仕切り板がないため、洗濯物を仕分けすることが出来ない。
従来、洗濯かごの底は開かないため、洗濯物を上から、取り出して、洗濯機に入れなければならない。
洗濯かごには小物入れが付いていないため、必要なものがある場合（洗濯ばさみ、携帯電話等）は、都度指定の場所まで取りに行かなければならない。
【特許文献１】特開平１１−２８２９９
【発明の開示】
【発明が解決しようとする課題】
【０００３】
しかし、従来のような、洗濯かごでは、身体に装着することが出来ず、地面に直接置いて作業をするため、洗濯物を屈んで取ったり、干したりしなければならず、非常に不便である。
また、洗濯かごを置いた場所まで戻ったり、次の干し場まで、かごを持って移動しなければならず、不都合である。このような、不都合を解決することを課題とする。
また、洗濯物を干すときに必要な、洗濯ばさみを取りにいかなくてはならない。そして、洗濯ばさみを手に持つ数にも、限りがあり、何度も往復しなければならない。
また、洗濯物の仕分けに必要な仕切り板もなく、洗濯かごを折りたたむことが出来ず、使用しない時も、かご置き場の場所を取る。
プラスチック製又はアルミ製の取っ手が短く、首や肩から背負うことが出来ない。
【課題を解決するための手段】
【０００４】
この課題を解決するための請求項１の発明は、洗濯かごの側面の一部にバックル付き腰ベルト（調節機能付）を取り付けることを特徴とする、洗濯かごである。身体にこの腰べルト付き洗濯かごを装着することにより、身体を屈めたり、伸ばしたりすることなく楽に洗濯物を干すことが、可能である。
また、請求項２の発明は、腰ベルトにクッション性のあて布を装着することによる腰への負担の配慮と安全性を加味した洗濯かごである。
また、請求項３の発明は、洗濯かごの一面を歪曲させることにより、身体に装着しやい形状とした洗濯かごである。
また、請求項４の発明は、洗濯かごの底面を網目状にすることによる、洗濯かごの重さの軽減を図り、腰への負担を軽減し作業者への思いやりの配慮を尽くす洗濯かごである。
尚、請求項５の発明は、四隅の洗濯かごの足の長さを長くする(例えば３cm以上)ことに
より、洗濯かご及び、洗濯物が床面に付着することを、防止できる洗濯かごである。
尚、請求項６の発明は、洗濯かごの左右の取っ手を長いベルト（例えば布製）にすることにより持ち運ぶ時に、肩から掛けられるようにした。
尚、請求項７の発明は、取り外し可能な、長い肩掛けベルト（例えば布製）を付けることにより、持ち運ぶ時に首から斜め掛け出来るようにした。
尚、請求項８の発明は、取り外し可能な、仕切り板を付けることにより、洗濯物を仕分け出来るようにした。
尚、請求項９の発明は、折畳み可能にしたことにより、使用しない時は、小さく畳んで保管出来るようにした。
尚、請求項10の発明は、洗濯かごの底を開閉式とし、洗濯物を洗濯かごの下から、洗濯機に直接落とせるようにした。
また、請求項１１の発明は、腰ベルトの側面に脱着式の小物入れ（洗濯ばさみ入れ）を装着することにより、洗濯ばさみを何回も取りに行く手間を省いた洗濯かごである。  
また、（携帯電話及びCD及びMDウォークマン入れ）を装着することにより、電話に出たり、音楽を聴きながら洗濯を干せる様にした。脱着式なので、自分の好きなベルト位置にセット可能である。
【発明の効果】
【０００５】
本発明により、洗濯物を干すときに、何度も屈んだりしゃがむという不都合は起きず腰ベルト付、洗濯かごを、身体に直接装着することにより、立ったまま洗濯物を干したり、取り込んだりすることが出来、作業者への負担が軽減する。
かごを直接身体に装着することにより、雨上がりのぬかるんだ地面や塗れたベランダの床に置かずに済むため、洗濯物が汚れずに済む。                    
洗濯かごを体に直接装着するため、干すときに、置き場所を取らない。
ベルトの長さは、長さの調節が可能なので、どんな体型(除く、妊婦さん)の方でも、もしくは夏、冬着るものによる体型の変化があった場合でも使用可能である。
【０００６】
寒さが厳しい冬など、お風呂上りの風邪を引きやすい時期でも、短時間で干すことが可能となり、働いている方、もしくは忙しく時間がない方には、大変便利である上に、作業時間の大幅な短縮が出来る。  
（4人家族の洗濯量を干す作業時間）
1日    約30分      改善後約15分  
年間  182.5時      改善後91.25時間（約半分の時間）
【０００７】
通常の洗濯かごに近い形態の大きさにしている為、そのまま脱衣室等に置いておく場合でも、支障をきたすことがない。
洗濯かごのベルトに小物入れがついている為、洗濯ばさみを入れておくことが可能なため、洗濯ばさみを取りに行く手間が省ける。尚、携帯電話及びCD及びMDウォークマン入れを装着することにより、電話に出たり、音楽を聴きながら洗濯が干せる。
取り外し可能な仕切り板を付けたことにより、洗濯物の仕分けが可能となった。
折畳みが可能なため、使用しないときは小さく畳んで置けるので、場所を取らない。
【０００８】
洗濯かご底が開閉可能なため、底扉を開けて洗濯物に触れず、下から、洗濯物を洗濯機の中に落とすことが出来る。
【発明を実施するための最良の形態】
【０００９】
洗濯かご側面にベルトを通す穴（縦５cm×横1cm）を２箇所開ける。
上記の穴にバックル付きベルトを通す。
ベルトを通したら、洗濯かごの側面に腰を守り負担を軽減する意味でクッション性（中身は、綿）腰あてを付着する。
洗濯かご、ベルト、腰当てをビス6箇所でしっかり、固定する。
ベルトの素材表面は布素材等で、中綿入りの幅約５cm程のものとし、腰への負担を軽減する。
身体に付けるベルトのつなぎ目部分は通常の綿ベルト等を使用し、バックルで簡単に脱着可能なものとする。
これらの洗濯かごの材質は、腰への負担を考慮しつつ、耐久性も加味し、素材は従来通りのプラスチック製又はアルミ製とし、かごの底は軽量化を図り側面と同じ網目状にする。
洗濯物が地面に接することを考慮し、四隅の足の長さを従来より長くする。（約３ｃｍ以上）が好ましい。
洗濯かごの中央に溝を作り、網目状の仕切り板を上から滑りこませる。。
洗濯かごの4面全てを切り離し、留め金で留められるようにして、底面は蝶番で折畳み可能とし使用しないときは、小さく畳んで保管出来るようにする。
洗濯かごの底を切り離し、開閉できるようにし開閉扉にフックを装着することにより、
汚れた洗濯物に触れることなく、直接洗濯機に洗濯かごの下から落とすことが出来るようにする。
【００１０】
小物入れ（洗濯ばさみ,携帯電話入れ、MDウォークマン入れ）に関しては、軽い素材（布、又はビニール製）のものとして、ベルトを取り付けマッジックテープで腰ベルトに取り付けられるようにする。
【産業上の利用可能性】
【００１１】
タオル等を大量に干したりする医療関係、美容関係。
【図面の簡単な説明】
【００１２】
【図１】基本的構造を表した洗濯かごの斜視図である。
【図２】折畳んだ常態をを指し示す洗濯かごの側面図である。
【図３】人が使用した状態の説明図である。
【図４】ベルトに装着できる小物入れ（3個）の側面図である。
【符号の説明】
【００１３】
１、ベルト
２、バックル
３、ビス
４、クッション（中綿入り）
５、洗濯かご
６、高さを付けたかご足
７、網目状のかご底
８、取っ手（持ち手）
９、小物入れ（取外し可能）
１０、仕切り板
１１、首掛けベルト（取外し可能）
１２、蝶番
１３、留め金
１４、開閉フック
【図１】
2007082760.tif 000003
【図２】
2007082760.tif 000004
【図３】
2007082760.tif 000005
【図４】
2007082760.tif 000006